(57)【特許請求の範囲】
【請求項１】
３本のロッドをヒンジ部によって揺動自在に結合して、ヒンジ部を中心に畳んで重合された状態とヒンジ部を中心に展開された状態とに転換可能とされ、ヒンジ部より下方側を脚部とし、ヒンジ部より上方側に着座部が配置されて椅子とされ、
前記ヒンジ部は、３本のロッドのうち第１及び第２のロッドが第３のロッドを間に挟んで互いに重合及び展開可能とされ、しかも、互いに展開された前記第１及び第２のロッドの各軸線上を通る仮想平面に対して前記第３のロッドが角度を持って展開可能とされ、
前記ヒンジ部は、第１の球体内に第２の球体が相対的に摺動自在に挿入され、更に第２の球体内に第３の球体が相対的に摺動自在に挿入され、前記第１の球体は前記第１のロッドに、また前記第２の球体は前記第２のロッドに、更に前記第３の球体は前記第３のロッドにそれぞれ結合され、第１の球体及び第２の球体には、第１及び第２のロッドが第３のロッドを間に挟んで互いに重合及び展開可能となるように、且つ互いに展開された前記第１及び第２のロッドの各軸線上を通る仮想平面に対して前記第３のロッドが角度を持って展開可能となるように切欠部がそれぞれ形成されていることを特徴とする携帯用椅子。
【請求項２】
３本のロッドをヒンジ部によって揺動自在に結合して、ヒンジ部を中心に畳んで重合された状態とヒンジ部を中心に展開された状態とに転換可能とされ、ヒンジ部より下方側を脚部とし、ヒンジ部より上方側に着座部が配置されて椅子とされ、
前記ヒンジ部は、３本のロッドのうち第１及び第２のロッドが第３のロッドを間に挟んで互いに重合及び展開可能とされ、しかも、互いに展開された前記第１及び第２のロッドの各軸線上を通る仮想平面に対して前記第３のロッドが角度を持って展開可能とされ、
前記第１のロッド及び第２のロッドは前記第３のロッド側を受け面とする樋形状とされ、３本のロッドが重合されたとき前記第１のロッド及び第２のロッドの受け面同士が合わせられ、その結果、前記第１のロッド及び第２のロッドの受け面によって形成される筒状空間内に前記第３のロッドが収納されることを特徴とする携帯用椅子。
【請求項３】
請求項２において、前記ヒンジ部は、第１の球体内に第２の球体が相対的に摺動自在に挿入され、更に第２の球体内に第３の球体が相対的に摺動自在に挿入され、前記第１の球体は前記第１のロッドに、また前記第２の球体は前記第２のロッドに、更に前記第３の球体は前記第３のロッドにそれぞれ結合され、第１の球体及び第２の球体には、第１及び第２のロッドが第３のロッドを間に挟んで互いに重合及び展開可能となるように、且つ互いに展開された前記第１及び第２のロッドの各軸線上を通る仮想平面に対して前記第３のロッドが角度を持って展開可能となるように切欠部がそれぞれ形成されていることを特徴とする携帯用椅子。
【請求項４】
請求項１乃至３のいずれかにおいて、前記第１のロッド及び第２のロッドは第３のロッドに比べて短く設定され、
前記第３のロッドのヒンジ部より上方側で、第３のロッドの外周上に摺動自在にスライダが設けられ、
前記第３のロッド上で前記スライダより下方側にはスライダの摺動の下限位置を決定するストッパが設けられ、
前記第１のロッド及び第２のロッドの各上端部と前記スライダの上端部との間に柔軟性を備えたシートが着座部となるように張設され、
前記第１のロッドのヒンジ部及び上端部の間に設けられた第１の支持部と前記スライダの上端部より下側に設けられた第３の支持部との間に第１のリンクが揺動自在に設けられ、第２のロッドのヒンジ部及び上端部の間に設けられた第２の支持部と前記第３の支持部との間に第２のリンクが揺動自在に設けられていることを特徴とする携帯用椅子。
【請求項５】
請求項４において、前記第３のロッドの外周面と前記スライダの内周面との間には周方向への相対回転に対して互いに係合可能な回転止部が設けられていることを特徴とする携帯用椅子。
【請求項６】
請求項４又は５において、前記第３のロッドに対する前記第１のリンク及び第２のリンクの軸線が通る仮想平面の傾斜方向が、３本のロッドの重合時には、３本のロッドの展開時の傾斜方向に対して反対方向となるように、第１の支持部、第２の支持部及び第３の支持部の位置を設定し、
前記第３のロッドのスライダより上側にはばねが固定され、前記３本のロッドが重合された状態において、前記ばねは前記スライダを下方へ付勢することを特徴とする携帯用椅子。
【発明の詳細な説明】
【技術分野】
【０００１】
本発明は、必要に応じてコンパクトに畳むことが可能とされた三脚タイプの携帯用椅子に関する。
【背景技術】
【０００２】
下記特許文献１には、三脚タイプの携帯用椅子が開示されている。この携帯用椅子は、着座部と脚部とが台座を挟んで上下に設けられ、台座に対して着座部と脚部とがそれぞれ独立して畳まれた状態と展開された状態とに転換可能とされている。着座部は台座の上部にあり、展開されることにより着座が可能とされ、畳まれることにより着座部が椅子全体を持ち運ぶ際の握り部とされる。一方、脚部は台座の下部にあり、縦方向に三つ割り可能とされた円筒体が三方に展開されることにより椅子全体が安定して自立可能とされ、三方に展開された脚が円筒体に戻されることによりコンパクトに持ち運び可能とされている。
【先行技術文献】
【特許文献】
【０００３】
【特許文献１】特開２００４−３４４６０９号公報
【発明の概要】
【発明が解決しようとする課題】
【０００４】
しかし、上記台座は、着座部に着座した着座者の体重を受け、脚部に伝達するものであるため、それなりの強度が必要で、重量も重くなる。
本発明は、このような問題に鑑み、台座をなくし着座部と脚部とを一体化することにより、携帯用椅子を軽量化することを課題とする。
【課題を解決するための手段】
【０００５】
本発明の第１発明は、３本のロッドをヒンジ部によって揺動自在に結合して、ヒンジ部を中心に畳んで重合された状態とヒンジ部を中心に展開された状態とに転換可能とされ、ヒンジ部より下方側を脚部とし、ヒンジ部より上方側に着座部が配置されて椅子とされ、前記ヒンジ部は、３本のロッドのうち第１及び第２のロッドが第３のロッドを間に挟んで互いに重合及び展開可能とされ、しかも、互いに展開された前記第１及び第２のロッドの各軸線上を通る仮想平面に対して前記第３のロッドが角度を持って展開可能とされ、
前記ヒンジ部は、第１の球体内に第２の球体が相対的に摺動自在に挿入され、更に第２の球体内に第３の球体が相対的に摺動自在に挿入され、前記第１の球体は前記第１のロッドに、また前記第２の球体は前記第２のロッドに、更に前記第３の球体は前記第３のロッドにそれぞれ結合され、第１の球体及び第２の球体には、第１及び第２のロッドが第３のロッドを間に挟んで互いに重合及び展開可能となるように、且つ互いに展開された前記第１及び第２のロッドの各軸線上を通る仮想平面に対して前記第３のロッドが角度を持って展開可能となるように切欠部がそれぞれ形成されていることを特徴とする携帯用椅子である。
第１発明によれば、上記特許文献１における台座のような部材はなく、ヒンジ部によって揺動自在に結合された３本のロッドの下方側が脚部とされ、上方側が着座部とされて携帯用椅子が構成されるため、無駄のない構成で軽量化を図ることができる。
【０００６】
また第１発明によれば、３本のロッドにそれぞれ結合された３つの球体の組合わせによりヒンジ部が構成されるため、３本のロッドを３方向へ展開可能とするためのヒンジ部を軽量に構成することができる。
【０００７】
本発明の第２発明は、３本のロッドをヒンジ部によって揺動自在に結合して、ヒンジ部を中心に畳んで重合された状態とヒンジ部を中心に展開された状態とに転換可能とされ、ヒンジ部より下方側を脚部とし、ヒンジ部より上方側に着座部が配置されて椅子とされ、
前記ヒンジ部は、３本のロッドのうち第１及び第２のロッドが第３のロッドを間に挟んで互いに重合及び展開可能とされ、しかも、互いに展開された前記第１及び第２のロッドの各軸線上を通る仮想平面に対して前記第３のロッドが角度を持って展開可能とされ、前記第１のロッド及び第２のロッドは前記第３のロッド側を受け面とする樋形状とされ、３本のロッドが重合されたとき前記第１のロッド及び第２のロッドの受け面同士が合わせられ、その結果、前記第１のロッド及び第２のロッドの受け面によって形成される筒状空間内に前記第３のロッドが収納されることを特徴とする。
また本発明の第３発明は、請求項２において、前記ヒンジ部は、第１の球体内に第２の球体が相対的に摺動自在に挿入され、更に第２の球体内に第３の球体が相対的に摺動自在に挿入され、前記第１の球体は前記第１のロッドに、また前記第２の球体は前記第２のロッドに、更に前記第３の球体は前記第３のロッドにそれぞれ結合され、第１の球体及び第２の球体には、第１及び第２のロッドが第３のロッドを間に挟んで互いに重合及び展開可能となるように、且つ互いに展開された前記第１及び第２のロッドの各軸線上を通る仮想平面に対して前記第３のロッドが角度を持って展開可能となるように切欠部がそれぞれ形成されていることを特徴とする。
第２又は第３発明によれば、３本のロッドが重合されたとき、２本のロッドによって形成される筒状空間内に残りの１本のロッドが収納されるため、あたかも１本のロッドのように畳むことができ、携帯時にコンパクトに持ち運ぶことができる。
【０００８】
本発明の第４発明は、上記第１乃至第３発明のいずれかにおいて、前記第１のロッド及び第２のロッドは第３のロッドに比べて短く設定され、第３のロッドのヒンジ部より上方側で、第３のロッドの外周上に摺動自在にスライダが設けられ、第３のロッド上で前記スライダより下方側にはスライダの摺動の下限位置を決定するストッパが設けられ、第１のロッド及び第２のロッドの各上端部と前記スライダの上端部との間に柔軟性を備えたシートが着座部となるように張設され、第１のロッドのヒンジ部及び上端部の間に設けられた第１の支持部と前記スライダの上端部より下側に設けられた第３の支持部との間に第１のリンクが揺動自在に設けられ、第２のロッドのヒンジ部及び上端部の間に設けられた第２の支持部と前記第３の支持部との間に第２のリンクが揺動自在に設けられていることを特徴とする。
第４発明によれば、柔軟性を備えたシートによって着座部を構成したので、携帯時に椅子をコンパクトに畳むことができる。また、各ロッドに対してスライダとリンクとを設けたので、スライダを下方に摺動することにより各ロッドを展開して椅子とすることができ、スライダを上方へ摺動することにより各ロッドを重合状態として椅子を畳むことができる。このようにスライダの摺動によりロッドの展開と重合とを行うことができるので、操作をスムースに行うことができる。
【０００９】
本発明の第５発明は、上記第４発明において、前記第３のロッドの外周面と前記スライダの内周面との間には周方向への相対回転に対して互いに係合可能な回転止部が設けられていることを特徴とする。
第５発明によれば、第３のロッドとスライダとの間に回転止部が設けられているため、スライダが第３のロッドに対して周方向に回転することが防止され、スライダに結合されたリンクを介して第１のロッド及び第２のロッドの展開と重合動作が乱されるのを防止することができる。
【００１０】
本発明の一実施形態では、前記３本のロッドが重合された状態において、第３のロッドのヒンジ部より下端部までの長さは、第１のロッド及び第２のロッドのヒンジ部より下端部までの長さより長く設定されていることを特徴とする。
この場合、３本のロッドが重合されたとき、中心に位置する第３のロッドが他の２本のロッドより突出しているため、３本のロッドが重合されて杖のように使用されたとき、第３のロッドにのみ力がかかり、第１のロッド及び第２のロッドには力が加わらないため、第１のロッド及び第２のロッドを介してヒンジ部に外力が加わることを防止でき、ヒンジ部が損傷を受けるのを抑制することができる。
【００１１】
本発明の第６発明は、上記第４又は第５発明において、前記３本のロッドの重合時には、第３のロッドに対する前記第１のリンク及び第２のリンクの軸線が通る仮想平面の傾斜方向が、３本のロッドの展開時の傾斜方向に対して反対方向となるように、第１の支持部、第２の支持部及び第３の支持部の位置を設定し、前記第３のロッドのスライダより上側にはばねが固定され、前記３本のロッドが重合された状態において、前記ばねは前記スライダを下方へ付勢することを特徴とする。
第６発明によれば、第３のロッドに対する第１のリンク及び第２のリンクの軸線の傾斜方向が、３本のロッドの重合時には、３本のロッドの展開時の傾斜方向に対して反対方向とされているため、第１のリンク及び第２のリンクを介して第１のロッド及び第２のロッドは展開時とは反対方向にばねによる付勢力を受け、椅子を携帯する際に各ロッドが不用意に展開されることを防止できる。また、第１のリンク、第２のリンク及び第１のロッド、第２のロッドを介してばねの付勢力はヒンジ部に伝達されるため、椅子を携帯する際にヒンジ部のガタによる異音の発生を抑制することができる。
更に、３本のロッドを重合された状態から展開する際は、第３のロッドに対する第１のリンク及び第２のリンクの軸線が通る仮想平面の傾斜方向を３本のロッドを展開させる方向に手動により転換させた後は、スライダ及びリンクを介して、ばねの付勢力は３本のロッドを展開させる方向に作用するため、ばねの付勢力が働く範囲では３本のロッドの展開を自動的に行うことができ、展開操作を容易にすることができる。
【図面の簡単な説明】
【００１２】
【図１】本発明に係る携帯用椅子の一実施形態（畳まれた状態）の斜視図である。
【図２】上記実施形態（展開途中）の背面図である。
【図３】上記実施形態（展開状態）の斜視図である。
【図４】上記実施形態のシート部分の拡大斜視図である。
【図５】上記実施形態のヒンジ部部分の拡大斜視図である。
【図６】上記実施形態のヒンジ部を成す第１の球体の部分断面平面図である。
【図７】上記実施形態のヒンジ部を成す第２の球体の部分断面平面図である。
【図８】上記実施形態のヒンジ部を成す第３の球体の部分断面平面図である。
【図９】上記実施形態の第１のロッドとリンクとの結合部分の拡大斜視図である。
【図１０】上記実施形態のスライダ部分の拡大斜視図である。
【図１１】上記実施形態のワイヤ収納部の説明図である。
【図１２】上記実施形態のワイヤ収納部におけるワイヤ誘導金具の平面図、正面図及び底面図である。
【発明を実施するための形態】
【００１３】
本発明の一実施形態を図面に基づいて説明する。
この実施形態の携帯用椅子は、展開時に椅子となり、畳まれた状態では杖となるように構成されており、図１は畳まれて杖となった状態を示し、図２は展開途中を示し、図３は展開完了し、椅子として使用可能となった状態を示す。
当該椅子は、図１〜３に良く示されるように、３本のロッド１０、２０、３０をヒンジ部４０によって揺動自在に結合して、ヒンジ部４０を中心に畳んで重合された状態とヒンジ部４０を中心に展開された状態とに転換可能とされ、ヒンジ部４０より下方側を脚部とし、ヒンジ部４０より上方側に着座部が配置されて椅子とされている。
ヒンジ部４０は、３本のロッドのうち第１のロッド１０及び第２のロッド２０が第３のロッド３０を間に挟んで互いに重合及び展開可能とされ、しかも、互いに展開された第１のロッド１０及び第２のロッド２０の各軸線上を通る仮想平面に対して第３のロッド３０が角度を持って展開可能とされている。
このように構成したため、上記特許文献１における台座のような部材はなく、ヒンジ部４０によって揺動自在に結合された３本のロッド１０、２０、３０の下方側が脚部とされ、上方側が着座部とされて携帯用椅子が構成されるため、無駄のない構成で軽量化を図ることができる。
【００１４】
図５〜８に良く示されるように、ヒンジ部４０は、第１の球体４１内に第２の球体４２が相対的に摺動自在に挿入され、更に第２の球体４２内に第３の球体４３が相対的に摺動自在に挿入されて成る。そのため、各球体４１、４２、４３の直径は、第１、第２、第３の順番に小さくされている。
各球体４１、４２、４３は、それぞれ２つの半球体を組合わせて形成されており、図６のように第１の球体４１は半球体４１１と４１２とを組合わせて溶接して一つの球体とされている。図７のように第２の球体４２は半球体４２１と４２２とを組合わせて溶接して一つの球体とされ、図８のように第３の球体４３は半球体４３１と４３２とを組合わせて溶接して一つの球体とされている。なお、図６のように第１の球体４１の半球体４１１と４１２との間の中心部にはヒンジ軸４１４が溶接にて固定されている。また、図７のように第２の球体４２の半球体４２１と４２２の各中心部にはヒンジ軸４１４が貫通するための孔４２４、４２５がそれぞれ設けられている。
第１の球体４１は第１のロッド１０に、また第２の球体４２は第２のロッド２０に、更に第３の球体４３は第３のロッド３０にそれぞれ溶接にて結合されている。
【００１５】
そして、第１の球体４１及び第２の球体４２には、第１のロッド１０及び第２のロッド２０が第３のロッド３０を間に挟んで互いに重合及び展開可能となるように、且つ互いに展開された第１のロッド１０及び第２のロッド２０の各軸線上を通る仮想平面に対して第３のロッド３０が角度を持って展開可能となるように切欠部４１３，４２３、４３３、４３４がそれぞれ形成されている。
詳細には、図８のように第３の球体４３には上記ヒンジ軸４１４が貫通し、その状態で第３の球体４３が図８において上下方向に摺動可能となるための切欠部４３３と４３４が形成されている。切欠部４３３と４３４は第３の球体４３の球心に対して点対象に形成されている。図７のように第２の球体４２には、第３の球体４３に固定された第３のロッド３０が貫通し、上述のような第２のロッド２０と第３のロッド３０との相対移動を可能とするように切欠部４２３が形成されている。更に、図６のように第１の球体４１には、第３の球体４３に固定された第３のロッド３０及び第２の球体４２に固定された第２のロッド２０がそれぞれ貫通し、上述のような第１のロッド１０、第２のロッド２０及び第３のロッド３０の相対移動を可能とするように切欠部４１３が形成されている。なお、図６及び図７には切欠部がそれぞれ一つのみ記載されているが、各球体４１、４２には、第３の球体４３の場合と同様に、各球体４１、４２の球心に対して点対象となるように、それぞれ切欠部が形成されると共に、各ロッド１０、２０の下方側を成す部分が結合されている。
【００１６】
図６、７には、３本のロッド１０、２０、３０を重合した状態と展開した状態とに移動させる際の各球体４１、４２、４３及び各ロッド１０、２０、３０の位置関係を示すため、切欠部４１３、４２３内における第３のロッド３０の位置を二点鎖線の円で示している。図６、７の二点鎖線の円のうち、Ａは３本のロッド１０、２０、３０が重合された状態、Ｂは第３のロッド３０を間に挟んで第１のロッド１０と第２のロッド２０が横に展開された状態、Ｃは互いに展開された第１のロッド１０及び第２のロッド２０の各軸線上を通る仮想平面に対して第３のロッド３０が角度を持って展開された状態を示す。
なお、図７のように切欠部４２３の一部形状を二点鎖線で示すように変更することにより、第１のロッド１０と第２のロッド２０とを横方向に展開したとき、第２の球体４２の切欠部４２３の縁部の一部４２６によって第３のロッド３０がＢの位置からＣの位置に押し出されるため、第３のロッド３０を第１のロッド１０と第２のロッド２０の展開に連動させて展開させることができる。つまり、各ロッド１０、２０、３０の展開を、第３のロッド３０を間に挟んで第１のロッド１０と第２のロッド２０を横に展開させる第１の動作と、互いに展開された第１のロッド１０及び第２のロッド２０の各軸線上を通る仮想平面に対して第３のロッド３０を角度を持って展開させる第２の動作と分けて行うことなく、第１のロッド１０と第２のロッド２０を横に展開させる一つの動作のみで第３のロッド３０も展開させることができる。
このように、３本のロッド１０、２０、３０にそれぞれ結合された３つの球体４１、４２、４３の組合わせによりヒンジ部４０が構成されるため、３本のロッド１０、２０、３０を３方向へ展開可能とするためのヒンジ部を軽量に構成することができる。
【００１７】
図１〜３、図５〜７、及び図９に示されるように、第１のロッド１０及び第２のロッド２０は第３のロッド３０側を受け面とする樋形状とされ、図１のように、３本のロッド１０、２０、３０が重合されたとき第１のロッド１０及び第２のロッド２０の受け面同士が合わせられ、その結果、第１のロッド１０及び第２のロッド２０の受け面によって形成される筒状空間内に第３のロッド３０が収納される。
このように、３本のロッド１０、２０、３０が重合されたとき、２本のロッド１０、２０によって形成される筒状空間内に残りの１本のロッド３０が収納されるため、あたかも１本のロッドのように畳むことができ、携帯時にコンパクトに持ち運ぶことができる。
なお、図２、３、５に良く示されるように、樋形状とされた第１のロッド１０及び第２のロッド２０には、樋形状を成す円弧断面に沿って補強リブが設けられている。
【００１８】
図２、３に示されるように、第１のロッド１０及び第２のロッド２０は第３のロッド３０に比べて短く設定されている。また、第３のロッド３０のヒンジ部４０より上方側で、第３のロッド３０の外周上に摺動自在にスライダ５０が設けられ、第３のロッド３０上でスライダ５０より下方側にはスライダ５０の摺動の下限位置を決定するストッパ３１が設けられている。
第１のロッド１０及び第２のロッド２０の各上端部とスライダ５０の上端部５２との間に柔軟性を備えたシート８０が着座部となるように張設されている。この場合のシート８０は、合成繊維を使用した織物から成る。
第１のロッド１０のヒンジ部４０及び上端部の間に設けられた第１の支持部１２とスライダ５０の上端部５２より下側に設けられた第３の支持部５１との間に第１のリンク６１が揺動自在に設けられ、第２のロッド２０のヒンジ部４０及び上端部の間に設けられた第２の支持部２２と第３の支持部５１との間に第２のリンク６２が揺動自在に設けられている。
第１のリンク６１及び第２のリンク６２と第１のロッド１０及び第２のロッド２０との結合は、第１のロッド１０及び第２のロッド２０に溶接固定されたリング体１２及び２２に第１のリンク６１及び第２のリンク６２の先端に固定されたリング体６１２及び６２２が連結して行われ、更にリング体１２及び２２の周りを、やはり第１のロッド１０及び第２のロッド２０に溶接固定されたリング体１３及び２３のリング部で囲むようにしている。リング体１２及び２２とリング体６１２及び６２２との連結によって第１のリンク６１及び第２のリンク６２と第１のロッド１０及び第２のロッド２０とは結合されているが、リング体１３及び２３が設けられることにより、各ロッド１０、２０、３０の展開のためにスライダ５０が下方に押し下げられたとき、第１のリンク６１及び第２のリンク６２の下端がリング体１２及び２２に噛み込んでしまうことが防止されている。つまり、リング体１３及び２３はリング体１２及び２２の下方への余分な動きを規制している。
第１のリンク６１及び第２のリンク６２と第３の支持部５１との結合は、第１のリンク６１及び第２のリンク６２の先端に固定されたリング体６１１及び６２１と第３の支持部５１の下方に溶接固定されたリング体５１１及び５１２とが連結して行われている。
このような構成によれば、柔軟性を備えたシート８０によって着座部を構成したので、携帯時に椅子をコンパクトに畳むことができる。また、各ロッド１０、２０、３０に対してスライダ５０とリンク６１、６２とを設けたので、スライダ５０を下方に摺動することにより各ロッド１０、２０、３０を展開して椅子とすることができ、スライダ５０を上方へ摺動することにより各ロッド１０、２０、３０を重合状態として椅子を畳むことができる。このようにスライダ５０の摺動によりロッド１０、２０、３０の展開と重合とを行うことができるので、操作をスムースに行うことができる。
【００１９】
図２〜４に示されるように、シート８０は全体として三角形に縫製され、スライダ５０の上端部５２への取り付けは、シート８０の先端が二つ割りにされ、その先端にスライダ５０を挟み込んで縛り付けることにより行っている。詳しくは、上端部５２はスライダ５０に直交する部材が該スライダ５０に溶接されて成り、この直交部材の上方側でスライダ５０にシート８０の先端が縛り付けられている。
シート８０の第１のロッド１０及び第２のロッド２０の各上端部への取り付けは、第１のロッド１０に関して図９に示されるように、第１のロッド１０の上端部に被せられる袋体８１が第１のロッド１０の上端部に対応する位置のシート８０に縫合され、この袋体８１を第１のロッド１０の上端部に被せて行われている。更に袋体８１に隣接して設けられたループ状の掛止帯８２を、第１のロッド１０の上端部側壁に突設された突起部（不図示）に掛止させることによってシート８０が第１のロッド１０から外れないようにしている。第２のロッド２０に関しても以上説明した第１のロッドの場合と同様である。
これら袋体８１、掛止帯８２は、シート８０の第１のロッド１０及び第２のロッド２０との取付部に第１のロッド１０及び第２のロッド２０を囲むように設けられた垂下帯８３、８４に縫合される。
なお、図４に良く示されるように、シート８０は第１のロッド１０及び第２のロッド２０の取付部を補強するため、角部や端部に補強布８５、８６が縫合されている。
【００２０】
図１０に良く示されるように、第３のロッド３０の外周面とスライダ５０の内周面との間には周方向への相対回転に対して互いに係合可能な回転止部５３が設けられている。具体的には、回転止部５３は、スライダ５０に第３のロッド３０の軸方向にスリット５３１が設けられ、このスリット５３１に嵌合するように第３のロッド３０の表面に突起５３２が設けられて成る。なお、スライダ５０に設けられたスリット５３１はスライダ５０の上下端で閉じられて、スライダ５０がスリット５３１によって開いてしまうことがないようにされている。
このように、第３のロッド３０とスライダ５０との間に回転止部５３が設けられているため、スライダ５０が第３のロッド３０に対して周方向に回転することが防止され、スライダ５０に結合されたリンク６１、６２を介して第１のロッド１０及び第２のロッド２０の展開と重合動作が乱されるのを防止することができる。
【００２１】
図１に示されるように、３本のロッド１０、２０、３０が重合された状態において、第３のロッド３０のヒンジ部４０より下端部までの長さは、第１のロッド１０及び第２のロッド２０のヒンジ部４０より下端部までの長さより僅かに長く設定されている。
このように、３本のロッド１０、２０、３０が重合されたとき、中心に位置する第３のロッド３０が他の２本のロッド１０、２０より突出しているため、３本のロッド１０、２０、３０が重合されて杖のように使用されたとき、第３のロッド３０にのみ力がかかり、第１のロッド１０及び第２のロッド２０には力が加わらないため、第１のロッド１０及び第２のロッド２０を介してヒンジ部４０に外力が加わることを防止でき、ヒンジ部４０が損傷を受けるのを抑制することができる。
【００２２】
図では明らかではないが、３本のロッド１０、２０、３０の重合時には、第３のロッド３０に対する第１のリンク６１及び第２のリンク６２の軸線が通る仮想平面の傾斜方向が、３本のロッド１０、２０、３０の展開時の傾斜方向に対して反対方向となるように、第１の支持部１２、第２の支持部２２及び第３の支持部５１の位置を設定している。また、図１〜３に示されるように、第３のロッド３０のスライダ５０より上側にはばね３５が固定され、３本のロッド１０、２０、３０が重合された状態において、ばね３５はスライダ５０を下方へ付勢する。
このような構成によれば、第３のロッド３０に対する第１のリンク６１及び第２のリンク６２の軸線が通る仮想平面の傾斜方向が、３本のロッド１０、２０、３０の重合時には、３本のロッド１０、２０、３０の展開時の傾斜方向に対して反対方向とされているため、第１のリンク６１及び第２のリンク６２を介して第１のロッド１０及び第２のロッド２０は展開時とは反対方向にばね３５による付勢力を受け、椅子を携帯する際に各ロッド１０、２０、３０が不用意に展開されることを防止できる。
また、第１のリンク６１、第２のリンク６２及び第１のロッド１０、第２のロッド２０を介してばね３５の付勢力はヒンジ部４０に付与されるため、椅子を携帯する際にヒンジ部４０のガタによる異音の発生を抑制することができる。
更に、３本のロッド１０、２０、３０を重合された状態から展開する際は、第３のロッド３０に対する第１のリンク６１及び第２のリンク６２の軸線が通る仮想平面の傾斜方向を、３本のロッド１０、２０、３０を展開させる方向に手動により転換させた後は、スライダ５０及び各リンク６１、６２を介して、ばね３５の付勢力は３本のロッド１０、２０、３０を展開させる方向に作用するため、ばね３５の付勢力が働く範囲では３本のロッド１０、２０、３０の展開を自動的に行うことができ、展開操作を容易にすることができる。
【００２３】
図２に示されるように、第１のロッド１０及び第２のロッド２０のヒンジ部４０より下方側には、両ロッド１０、２０間にワイヤ７９が張設されている。即ち、ワイヤ７９の一端は、樋形状の第１のロッド１０の受面内に固定され、他端は樋形状の第２のロッド２０の受面内に固定されている。このようにワイヤ７９が設けられていることにより、シート８０上に大きな荷重が加えられて、両ロッド１０、２０のヒンジ部４０より下方側の脚部が開かれる力を受けたとき、その力の一部をワイヤ７９に分担させ、ロッド１０、２０が変形するのを防止している。
３本のロッド１０、２０、３０が重合されて畳まれるとき、ワイヤ７９は湾曲変形することにより３本のロッド１０、２０、３０間に挟持される。
【００２４】
図２に示されるように、第３のロッド３０と第１のロッド１０及び第２のロッド２０との間にも、上記ワイヤ７９と同様、ワイヤ７１、７２がワイヤ７９より下方側に張設されている。このワイヤ７１、７２もワイヤ７９と同様に、シート８０に大きな荷重が加えられて、３本のロッド１０、２０、３０のヒンジ部４０より下方側の脚部が開かれる力を受けたとき、その力の一部をワイヤ７９に分担させ、ロッド１０、２０、３０が変形するのを防止している。
図２及び図１１に示されるように、各ワイヤ７１、７２は、筒状体である第３のロッド３０の筒内に余長部分が収納されるようになっている。ワイヤ７１、７２は、第３のロッド３０内で一本のワイヤ７４に纏められて第３のロッド３０内の上端部に設けられた固定ピン７７に係止されている。固定ピン７７に係止されるワイヤ７６と上記ワイヤ７４との間にはばね７５が介挿されており、ワイヤ７１、７２が弛みを生じないようにしている。
ワイヤ７１、７２とワイヤ７４との間には、ワイヤ誘導金具７８が介在されている。ワイヤ誘導金具７８は、ワイヤ７１、７２が第３のロッド３０内に収納される際に貫通する孔部の直上の第３のロッド３０内に嵌め込まれて固定されており、図１２に良く示されるようにワイヤ誘導金具７８の表面には上下方向にワイヤ７１、７２が通るための溝７８１が形成され、溝７８１は下端部において分岐されて溝７８２、７８３とされている。溝７８２、７８３にはワイヤ７１、７２が分離して通される。溝７８１の上部においてワイヤ７１、７２には抜け止め７３が一体に設けられ、３本のロッド１０、２０、３０が展開されて第３のロッド３０と第１のロッド１０、第２のロッド２０との間にワイヤ７１、７２が張設されたとき、抜け止め７３が溝７８１の上端に係止され、ワイヤ７１、７２が弛まないようにされている。従って、ワイヤ７１、７２に対する抜け止め７３の固定位置は３本のロッド１０、２０、３０が展開されたとき、ワイヤ７１、７２が第３のロッド３０と第１のロッド１０、第２のロッド２０との間で弛みなく張設されるように設定される。
【００２５】
図１〜３において、３２は第３のロッド３０の下端に設けられた緩衝ゴム体、１１、２１は第１のロッド１０、第２のロッド２０の下端に設けられた緩衝ゴム体である。このように各ロッド１０、２０、３０の下端に緩衝ゴム体３２、１１、２１が設けられているため、図３のように椅子として使用される際、及び図１のように杖として使用される際に、床を傷つけないように、また床との干渉音を抑制することができる。
図１において、３３は杖として使用する際の把手部であり、９０は杖として使用する際にロッド１０、２０、３０、リンク６１、６２などがガタつくのを防止するため、全体を外側から巻き付けるカバー帯である。
【００２６】
本発明は、上記実施形態で説明した外観、構成に限定されず、本発明の要旨を変更しない範囲で種々の変更、追加、削除が可能である。例えば、
１．３本のロッドは全て丸棒にて構成しても良い。
２．ヒンジ部は複数本のヒンジ軸を組合わせたものでも良い。
３．シートは、布製に限らず、樹脂、金属、紙など各種材料のものが適用可能である。
【符号の説明】
【００２７】
１０    第１のロッド
１２    第１の支持部
２０    第２のロッド
２２    第２の支持部
３０    第３のロッド
３１    ストッパ
３４    ばね
４０    ヒンジ部
４１    第１の球体
４１３  切欠部
４１４  ヒンジ軸
４２    第２の球体
４２３  切欠部
４３    第３の球体
４３３、４３４  切欠部
５０    スライダ
５１    第３の支持部
５３    回転止部
６１    第１のリンク
６２    第２のリンク
【図１】
0005718145.tif 000002
【図２】
0005718145.tif 000003
【図３】
0005718145.tif 000004
【図４】
0005718145.tif 000005
【図５】
0005718145.tif 000006
【図６】
0005718145.tif 000007
【図７】
0005718145.tif 000008
【図８】
0005718145.tif 000009
【図９】
0005718145.tif 000010
【図１０】
0005718145.tif 000011
【図１１】
0005718145.tif 000012
【図１２】
0005718145.tif 000013